(57)【要約】【課題】映像用光回線装置の動作状態を自動でサービス局に通知することができる光終端装置を提供することを目的とする。【解決手段】光回線網に接続されサービス局３２との間で光信号の送受信を行う通信用光回線装置２４と、光回線網に接続され前記サービス局から送信された光信号の受信を行う映像用光回線装置２５とを有する光通信システムの光終端装置であって、映像用光回線装置２５は、自装置の状態情報を収集して前記通信用光回線装置２４に通知する通知手段６８を有し、通信用光回線装置２４は、自装置の状態情報を収集してサービス局３２に送信する送信手段４３を有し、通信用光回線装置２４は、映像用光回線装置２５の通知手段６８から通知された状態情報を自装置の状態情報と共に送信手段４３を用いて前記サービス局に送信する。【選択図】図３
2011120135.tif 000002
【特許請求の範囲】
【請求項１】
光回線網に接続されサービス局との間で光信号の送受信を行う通信用光回線装置と、前記光回線網に接続され前記サービス局から送信された光信号の受信を行う映像用光回線装置とを有する光通信システムの光終端装置であって、
前記映像用光回線装置は、自装置の状態情報を収集して前記通信用光回線装置に通知する通知手段を有し、
前記通信用光回線装置は、自装置の状態情報を収集して前記サービス局に送信する送信手段を有し、
前記通信用光回線装置は、前記映像用光回線装置の通知手段から通知された状態情報を前記自装置の状態情報と共に前記送信手段を用いて前記サービス局に送信することを特徴とする光終端装置。
【請求項２】
請求項１記載の光終端装置において、
前記映像用光回線装置は、前記光回線網から受信した光信号の入力レベルを検知して前記状態情報とする光検知手段を
有することを特徴とする光終端装置。
【請求項３】
請求項２記載の光終端装置において、
前記映像用光回線装置は、供給される電源電圧を検知して前記状態情報とする電圧検知手段を
有することを特徴とする光終端装置。
【請求項４】
請求項３記載の光終端装置において、
前記映像用光回線装置と前記通信用光回線装置は、同一の筐体に実装され、同一の電源を供給される
ことを特徴とする光終端装置。
【発明の詳細な説明】
【技術分野】
【０００１】
本発明は、光回線網を用いた光通信システムの光終端装置に関する。
【背景技術】
【０００２】
近年、ＦＴＴＨ（Ｆｉｂｅｒ  Ｔｏ  Ｔｈｅ  Ｈｏｍｅ）等の光ファイバ回線網を用いて、電話サービス、インターネット接続サービス、テレビジョン放送サービス等を行う光通信サービスが普及してきている。この種の光通信サービスを行う光ネットワークでは、ユーザ側のノードとして、光ファイバケーブルで伝送された光信号を電気信号に変換する光終端装置がユーザ宅内に設置される。そして、光終端装置にモデムや端末、テレビジョン受信機等が接続され、サービス提供者との間でデータ通信が行われる。この種の光終端装置は、データ通信用、映像配信用等の各種用途別に構成されたＯＮＵ（Ｏｐｔｉｃａｌ  Ｎｅｔｗｏｒｋ  Ｕｎｉｔ：光回線装置）を備えている。
【０００３】
図４は、従来の光通信システムの光終端装置の一例の構成図を示す。図４において、光終端装置１はユーザ宅内に設置されており、光ネットワークの通信用光ファイバ２及び映像用光ファイバ３が接続されている。光終端装置１内にはＤ−ＯＮＵ（通信用−ＯＮＵ）４とＶ−ＯＮＵ（映像用−ＯＮＵ）５が設けられている。
【０００４】
Ｄ−ＯＮＵ４には通信用光ファイバ２の一端が接続されると共に、ＬＡＮケーブル６によりパーソナルコンピュータ（ＰＣ）７と接続され、ＡＣ（交流）電源８から電源を供給されている。Ｄ−ＯＮＵ４は通信用光ファイバ２から供給される光信号を電気信号に変換してパーソナルコンピュータ７に供給する。また、パーソナルコンピュータ７から供給される電気信号を光信号に変換して光ファイバ２に送出する。
【０００５】
Ｖ−ＯＮＵ５には映像用光ファイバ３の一端が接続されると共に、同軸ケーブル１０によりテレビジョン受信機（ＴＶ）１１と接続され、ＡＣ電源１２から電源を供給されている。Ｖ−ＯＮＵ５は映像用光ファイバ３から供給される光信号を電気信号（ＲＦ信号）に変換してテレビジョン受信機１１に供給する。
【０００６】
通信用光ファイバ２及び映像用光ファイバ３それぞれの他端は事業者側のサービス局１３の接続されている。
【０００７】
なお、光接続終端部を介して光ファイバにより伝送される光の波長を分離する波長分離部と、波長分離部に接続する通信モジュールを着脱可能に装着する通信モジュール接続部と、通信モジュール接続部に装着される通信モジュールとして、ビデオ通信モジュール又はデータ通信モジュールのいずれか一つを備える技術が知られている（例えば特許文献１参照）。
【０００８】
また、ＷＤＭデバイスを光伝送路の途中の光信号の分岐前位置に配設することにより、ＷＤＭデバイスの使用個数を全体的に減少させ、かつ、システム全体のコストダウンを図る技術が知られている（例えば特許文献２参照）。
【先行技術文献】
【特許文献】
【０００９】
【特許文献１】特開２００８−２７７９６２号公報
【特許文献２】特開２００５−２９４９９４号公報
【発明の概要】
【発明が解決しようとする課題】
【００１０】
Ｄ−ＯＮＵ４は、自装置の状態を表す情報を、双方向通信路である通信用光ファイバ２を通して事業者側のサービス局１３に通知している。これに対し、映像用光ファイバ３は片方向通信路であるため、Ｖ−ＯＮＵ５は自装置の状態を表す情報を事業者側のサービス局１３に対し通知していなかった。
【００１１】
このため、Ｖ−ＯＮＵ５に障害が発生したような場合には、ユーザがサービス局に電話でＶ−ＯＮＵ５の障害状況を伝えるか、又は、保守要員がユーザを訪ねてＶ−ＯＮＵ５の障害状況を確認する必要があり、障害状況を把握するのに手間がかかり、障害復旧に時間がかかるというという問題があった。
【００１２】
本発明は上記の点に鑑みてなされたもので、映像用光回線装置の動作状態を自動でサービス局に通知することができる光終端装置を提供することを目的とする。
【課題を解決するための手段】
【００１３】
本発明の一実施態様による光終端装置は、光回線網に接続されサービス局（３２）との間で光信号の送受信を行う通信用光回線装置（２４）と、前記光回線網に接続され前記サービス局から送信された光信号の受信を行う映像用光回線装置（２５）とを有する光通信システムの光終端装置であって、
前記映像用光回線装置（２５）は、自装置の状態情報を収集して前記通信用光回線装置（２４）に通知する通知手段（６８）を有し、
前記通信用光回線装置（２４）は、自装置の状態情報を収集して前記サービス局（３２）に送信する送信手段（４３）を有し、
前記通信用光回線装置（２４）は、前記映像用光回線装置（２５）の通知手段（６８）から通知された状態情報を前記自装置の状態情報と共に前記送信手段（４３）を用いて前記サービス局に送信する。
【００１４】
好ましくは、前記映像用光回線装置（２５）は、前記光回線網から受信した光信号の入力レベルを検知して前記状態情報とする光検知手段（６４）を有する。
【００１５】
好ましくは、前記映像用光回線装置は、供給される電源電圧を検知して前記状態情報とする電圧検知手段（７６）を有する。
【００１６】
好ましくは、前記映像用光回線装置（２５）と前記通信用光回線装置（２４）は、同一の筐体に実装され、同一の電源を供給される。
【００１７】
なお、上記括弧内の参照符号は、理解を容易にするために付したものであり、一例にすぎず、図示の態様に限定されるものではない。
【発明の効果】
【００１８】
本発明によれば、映像用光回線装置の動作状態を自動でサービス局に通知することができる。
【図面の簡単な説明】
【００１９】
【図１】本発明の光通信システムの光終端装置の一実施形態の構成図である。
【図２】Ｄ−ＯＮＵとＶ−ＯＮＵ間の接続を模式的に示す図である。
【図３】Ｄ−ＯＮＵ及びＶ−ＯＮＵの詳細構成図である。
【図４】従来の光通信システムの光終端装置の一例の構成図である。
【発明を実施するための形態】
【００２０】
以下、図面に基づいて本発明の実施形態について説明する。
【００２１】
＜光通信システムの光終端装置＞
図１は、本発明の光通信システムの光終端装置の一実施形態の構成図を示す。図１において、光終端装置２１はユーザ宅内に設置されており、光ネットワークの通信用光ファイバ２２及び映像用光ファイバ２３が接続されている。光終端装置２１の筐体内にはＤ−ＯＮＵ（通信用光回線装置）２４とＶ−ＯＮＵ２５（映像用光回線装置）が実装されている。
【００２２】
Ｄ−ＯＮＵ２４には通信用光ファイバ２２の一端が接続されると共に、ＬＡＮケーブル２６によりパーソナルコンピュータ２７と接続され、ＡＣ電源２８から電源を供給されている。Ｄ−ＯＮＵ２４は通信用光ファイバ２２から供給される光信号を電気信号に変換してパーソナルコンピュータ２７に供給する。また、パーソナルコンピュータ２７から供給される電気信号を光信号に変換して通信用光ファイバ２２に送出する。
【００２３】
Ｖ−ＯＮＵ２５には映像用光ファイバ２３の一端が接続されると共に、同軸ケーブル３０によりテレビジョン受信機３１と接続され、ＡＣ電源２８から電源を供給されている。Ｖ−ＯＮＵ２５は映像用光ファイバ２３から供給される光信号を電気信号（ＲＦ信号）に変換してテレビジョン受信機３１に供給する。
【００２４】
通信用光ファイバ２２及び映像用光ファイバ２３それぞれの他端は事業者側のサービス局３２の接続されている。
【００２５】
＜Ｄ−ＯＮＵとＶ−ＯＮＵ間の接続＞
図２にＤ−ＯＮＵ２４とＶ−ＯＮＵ２５間の接続を模式的に示す。図２において、Ｖ−ＯＮＵ２５は、ＡＣ電源２８から直接電源を供給されており、Ｄ−ＯＮＵ２４はＶ−ＯＮＵ２５を介してＡＣ電源２８からの電源を供給されている。
【００２６】
Ｖ−ＯＮＵ２５は電源電圧検出回路３５と光入力レベル検出回路３６を有している。電源電圧検出回路３５はＡＣ電源２８から供給される電源電圧をＶ−ＯＮＵ２５内の基準電圧Ｖ１，Ｖ２（Ｖ１＞Ｖ２）と比較して、電源電圧が基準電圧Ｖ１以上、電源電圧が基準電圧Ｖ１未満かつＶ２以上、電源電圧が基準電圧Ｖ２未満、それぞれの状態を２ビットで表す電源電圧検出情報を生成する。
【００２７】
光入力レベル検出回路３６は映像用光ファイバ２３から供給される光信号の入力レベルを検出し、検出レベルをＶ−ＯＮＵ２５内に保持している基準レベルＬ１，Ｌ２（Ｌ１＞Ｌ２）と比較して、検出レベルが基準レベルＬ１以上、検出レベルが基準レベルＬ１未満かつＬ２以上、検出レベルが基準レベルＬ２未満、それぞれの状態を２ビットで表す光入力レベル検出情報を生成する。
【００２８】
なお、Ｖ−ＯＮＵ２５は上記電源電圧検出情報と光入力レベル検出情報にも、例えば映像用光ファイバ２３から供給される光信号の帯域制限情報等のその他の状態情報を生成する構成であっても良い。Ｖ−ＯＮＵ２５は電源電圧検出情報，光入力レベル検出情報等の状態情報をパラレルもしくはシリアルにＤ−ＯＮＵ２４に供給する。
【００２９】
＜Ｄ−ＯＮＵの詳細構成＞
図３はＤ−ＯＮＵ２４及びＶ−ＯＮＵ２５の詳細構成図を示す。図３において、Ｄ−ＯＮＵ２４の光コネクタ４１には通信用光ファイバ２２が接続されている。光トランシーバ４２は通信用光ファイバ２２から光コネクタ４１を介して光信号を受信し電気信号の受信フレームに変換してＤ−ＯＮＵプロセッサ４３に供給すると共に、Ｄ−ＯＮＵプロセッサ４３から供給される送信フレームを電気信号から光信号に変換して光コネクタ４１を介し通信用光ファイバ２２に送出する。
【００３０】
Ｄ−ＯＮＵプロセッサ４３にはメモリ４４，発振器（ＯＳＣ）４５が併設されている。Ｄ−ＯＮＵプロセッサ４３は受信フレーム及び送信フレームのＭＡＣ処理を行うと共に、保守フレームを生成する。Ｄ−ＯＮＵプロセッサ４３は物理層処理部（ＰＨＹ）４６を介して接続されるＩＰ電話機４７との間でＶｏＩＰ（Ｖｏｉｃｅ  ｏｖｅｒ  Ｉｎｔｅｒｎｅｔ  Ｐｒｏｔｏｃｏｌ）フレームの送受信を行い、また、物理層処理部４８を介して接続されるパーソナルコンピュータ２７との間でデータフレームの送受信を行う。
【００３１】
また、Ｄ−ＯＮＵプロセッサ４３はインタフェース部４３ａを有しており、インタフェース部４３ａにはＶ−ＯＮＵプロセッサ６８のインタフェース部６８ａから状態情報が供給される。Ｄ−ＯＮＵプロセッサ４３はＤ−ＯＮＵ２４各部の動作状態を収集してＤ−ＯＮＵ２４の状態情報として保守フレームに格納する共に、Ｖ−ＯＮＵプロセッサ６８から供給された状態情報を保守フレームの一部に格納する。Ｄ−ＯＮＵプロセッサ４３は定期的に、又は、サービス局３２からの要求があったときに、上記の保守フレームをサービス局３２に送信する。
【００３２】
Ｄ−ＯＮＵ２４の電源回路５１はＶ−ＯＮＵ２５の配線７４を通して電源を供給されており、この電源を安定化してＤ−ＯＮＵ２４の各部に供給する。
【００３３】
＜Ｖ−ＯＮＵの詳細構成＞
Ｖ−ＯＮＵ２５の光コネクタ６１には映像用光ファイバ２３が接続されている。光受信部６２は映像用光ファイバ２３から光コネクタ６１を介して光信号を受信し電気信号に変換して分配器６３に供給すると共に、光信号の入力レベルを検出して光入力検知回路６４に供給する。分配器６３は受信した電気信号の周波数分離を行い、ＣＡＴＶ（Ｃｏｍｍｕｎｉｔｙ  Ａｎｔｅｎｎａ  ＴｅｌｅＶｉｓｉｏｎ）放送帯域のＲＦ信号をＲＦ部６５に供給し、ＢＳ（衛星放送）放送帯域のＲＦ信号をＲＦ部６６に供給し、制御信号帯域のＲＦ信号をＦＳＫレシーバ６７に供給する。
【００３４】
光入力検知回路６４は光入力レベル検出回路３６に対応しており、光信号の検出レベルを基準レベルＬ１，Ｌ２と比較して、検出レベルが基準レベルＬ１以上、検出レベルが基準レベルＬ１未満かつＬ２以上、検出レベルが基準レベルＬ２未満、それぞれの状態を２ビットで表す光入力レベル検出情報を生成し、Ｖ−ＯＮＵプロセッサ６８に供給する。
【００３５】
ＲＦ部６５はＶ−ＯＮＵプロセッサ６８から動作制御されており、ＣＡＴＶ放送帯域（７０〜７７０ＭＨｚ）のＲＦ信号を増幅して混合器７１に供給する。ＲＦ部６６はＶ−ＯＮＵプロセッサ６８から動作制御されており、ＢＳ放送帯域（１〜２．６ＧＨｚ）のＲＦ信号を増幅して混合器７１に供給する。ＦＳＫレシーバ６７は制御信号帯域のＲＦ信号のＦＳＫ（ｆｒｅｑｕｅｎｃｙ  ｓｈｉｆｔ  ｋｅｙｉｎｇ）復調を行って、得られた制御信号をＶ−ＯＮＵプロセッサ６８に供給する。
【００３６】
Ｖ−ＯＮＵプロセッサ６８にはメモリ６９，発振器（ＯＳＣ）７０が併設されている。Ｖ−ＯＮＵプロセッサ６８はＦＳＫレシーバ６７から供給される制御信号に応じてＲＦ部６５，６６それぞれのオン／オフを含む動作制御を行う。また、また、Ｖ−ＯＮＵプロセッサ６８はインタフェース部６８ａを有しており、インタフェース部６８ａは光入力検知回路６４からの光入力レベル検出情報や電圧検知回路７６からの電源電圧検出情報等の状態情報をＤ−ＯＮＵプロセッサ４３のインタフェース部４３ａに供給する。
【００３７】
混合器７１はＲＦ部６５からのＣＡＴＶ放送帯域のＲＦ信号とＲＦ部６６からのＢＳ放送帯域のＲＦ信号を混合してコネクタ７２を介して接続されるテレビジョン受像機３１に供給する。
【００３８】
電源回路７５はＡＣ電源２８から供給される電源を安定化してＶ−ＯＮＵ２５の各部に供給する。また、ＡＣ電源２８から供給される電源はＶ−ＯＮＵ２５から配線７４を通してＤ−ＯＮＵ２４の電源回路５１に供給される。
【００３９】
電源回路７５には電圧検知回路７６が併設されている。電圧検知回路７６は電源電圧検出回路３５に対応しており、ＡＣ電源２８から供給される電源電圧を基準電圧Ｖ１，Ｖ２と比較して、電源電圧が基準電圧Ｖ１以上、電源電圧が基準電圧Ｖ１未満かつＶ２以上、電源電圧が基準電圧Ｖ２未満、それぞれの状態を２ビットで表す電源電圧検出情報を生成し、Ｖ−ＯＮＵプロセッサ６８に供給する。
【００４０】
このように、Ｄ−ＯＮＵプロセッサ４３はＤ−ＯＮＵ２４各部の動作状態を収集してＤ−ＯＮＵ２４の状態情報として保守フレームに格納する共に、Ｖ−ＯＮＵプロセッサ６８から供給された状態情報を保守フレームの一部に格納し、更に、Ｄ−ＯＮＵプロセッサ４３は定期的に、又は、サービス局３２からの要求があったときに、上記の保守フレームをサービス局３２に送信するため、Ｖ−ＯＮＵ２５の動作状態を自動でサービス局３２に通知することができる。
【符号の説明】
【００４１】
２１  光終端装置
２２  通信用光ファイバ
２３  映像用光ファイバ
２４  Ｄ−ＯＮＵ
２５  Ｖ−ＯＮＵ
２６  ＬＡＮケーブル
２７  パーソナルコンピュータ
２８  ＡＣ電源
３０  同軸ケーブル
３１  テレビジョン受信機
３２  サービス局
３５  電源電圧検出回路
３６  光入力レベル検出回路
４１，６１  光コネクタ
４２  光トランシーバ
４３  Ｄ−ＯＮＵプロセッサ
４３ａ，６８ａ  インタフェース部
４４，６９  メモリ
４５，７０  発振器
４６，４８  物理層処理部
４７  ＩＰ電話機
５１，７５  電源回路
６３  分配器
６４  光入力検知回路
６５，６６  ＲＦ部
６７  ＦＳＫレシーバ
６８  Ｖ−ＯＮＵプロセッサ
７１  混合器
７６  電圧検知回路
【図１】
2011120135.tif 000003
【図２】
2011120135.tif 000004
【図３】
2011120135.tif 000005
【図４】
2011120135.tif 000006